(57)【要約】      （修正有）【課題】聴覚系を通して人に音響療法を行い、人を更にリラックスさせ、ストレスを解消し、不眠を癒し、人の睡眠の質を高め、視覚、味覚、聴覚を一体にさせ、機能が全面的であり、ユーザーを全面的にリラックスさせて、睡眠の質を高める自然睡眠音楽内蔵のアロマ加湿器を提供する。【解決手段】自然睡眠音楽内蔵のアロマ加湿器は、ベース１、中殻２、外殻３を備える。ベースは底殻１１、アロマから香り付き水蒸気を拡散する超音波加湿器１２、スピーカー１３と放熱口１４を備え、超音波加湿器、スピーカーと放熱口は底殻の底部に配置される。中殻の底部が固定ボルトで底殻の頂部に固定配置される。外殻の内表面が中殻の外表面に被装され、外殻の頂部に排気口が設けられ、底殻の底部の周りに三つの支持脚が固定接続される。また音楽につれて変化する７色のカラーユニット６を備える。【選択図】図３
0003223427.tif 000002
【実用新案登録請求の範囲】
【請求項１】
自然睡眠音楽内蔵のアロマ加湿器であって、
それはベース、中殻、外殻を備え、
前記ベースは底殻、超音波加湿器、スピーカーと放熱口を備え、前記超音波加湿器、スピーカーと放熱口は何れも底殻の底部に配置され、
前記中殻の底部が固定ボルトを介して前記底殻の頂部に固定配置され、
前記外殻の内表面が前記中殻の外表面に被装され、前記外殻の頂部に排気口が設けられることを特徴とする自然睡眠音楽内蔵のアロマ加湿器。
【請求項２】
前記底殻の底部の周りに三つの支持脚が固定接続され、前記支持脚の高さは６mmであることを特徴とする請求項１に記載の自然睡眠音楽内蔵のアロマ加湿器。
【請求項３】
前記底殻の表面に押ボタンの取付穴が設けられ、前記押ボタンの取付穴の内部にそれと対応する音楽押ボタンユニットが配置されることを特徴とする請求項１に記載の自然睡眠音楽内蔵のアロマ加湿器。
【請求項４】
前記底殻の表面において且つ押ボタンの取付穴の底部にカラーライトの取付穴が設けられ、前記カラーライトの取付穴の内部にそれと対応するカラーライトユニットが配置されることを特徴とする請求項１に記載の自然睡眠音楽内蔵のアロマ加湿器。
【請求項５】
前記排気口の内部に散気ユニットが被装され、三つの前記支持脚の高さは２５mmであり、前記底殻の底部において且つ三つの支持脚の両側に何れも弾性吸盤ユニットが配置されることを特徴とする請求項１に記載の自然睡眠音楽内蔵のアロマ加湿器。
【請求項６】
前記散気ユニットは散気パイプを備え、前記散気パイプの表面の底部が前記排気口の内部に配置され、前記散気パイプの頂部にオーバーカバーが固定接続され、前記散気パイプの表面にストッパーが固定接続され、前記散気パイプの表面において且つストッパーとオーバーカバーの間にいくつかの散気口が配置されることを特徴とする請求項５に記載の自然睡眠音楽内蔵のアロマ加湿器。
【請求項７】
前記弾性吸盤ユニットはスリーブを備え、前記スリーブの底端に弾きレバーが貫通され、前記弾きレバーの底端に吸盤が固定接続され、前記弾きレバーにおいて且つスリーブの内部の一端に押し板が固定接続され、前記押し板の頂部とスリーブの内壁の頂部の間に押しばねが固定接続され、前記弾きレバーの表面において且つ押し板の底部とスリーブの内壁の底部の間に緩衝ばねが固定接続されることを特徴とする請求項１に記載の自然睡眠音楽内蔵のアロマ加湿器。
【考案の詳細な説明】
【技術分野】
【０００１】
本考案はアロマ加湿器の分野に関し、特に自然睡眠音楽内蔵のアロマ加湿器に関する。
【背景技術】
【０００２】
科学技術が進歩するにつれて、社会も絶えずに発展していき、人々はますます豊かになる社会生活に直面して、仕事と生活の中で、感じるストレスも更に大きくなるため、中高年世代や、ストレスが大きすぎる人は不眠症を抱える場合が多い。不眠症は単なる入眠障害だけではなく、睡眠の質が悪く、睡眠の時間が少なくなる症状もある。また人の記憶力や、注意力を低下させる。
【０００３】
アロマトセラピーは、比較的効果のある人の睡眠の質を高める方法の一つである。アロマトセラピーとは、エッセンシャルオイルを用いて、燻蒸、沐浴、マッサージ等の方法により、人体の嗅覚、味覚、触覚、視覚、聴覚の五感を通して、植物のホルモンを皮膚及び呼吸システムから吸収されることで、中枢神経系、血液循環、内分泌、皮膚等八つの器官系を整えて、人間自体の自然治癒力、バランス及び再生機能を呼び起こす療法である。心身のバランスを回復させ、憂鬱、焦慮、鬱憤、怒り等の気持ち及び疲労感を解消し、身、心、霊をリラックスやリフレッシュさせる。家庭用アロマディフューザーは通常アロマ加湿器であり、その機能が単一で、アロマ加湿の機能があるだけであるため、自然睡眠音楽内蔵のアロマ加湿器を提供して上記の技術問題を解決する必要がある。
【考案の概要】
【考案が解決しようとする課題】
【０００４】
本考案は自然睡眠音楽内蔵のアロマ加湿器を提供し、家庭用アロマ加湿器は機能が単一で、アロマ加湿の機能があるだけという問題を解決できるようになる。
【課題を解決するための手段】
【０００５】
以上の目的を実現するために、本考案の使用する技術的な解決方案は以下の通りである。自然睡眠音楽内蔵のアロマ加湿器であって、それはベース、中殻、外殻を備え、前記ベースは底殻、超音波加湿器、スピーカーと放熱口を備え、前記超音波加湿器、スピーカーと放熱口は何れも底殻の底部に配置され、前記中殻の底部が固定ボルトを介して前記底殻の頂部に固定配置され、前記外殻の内表面が前記中殻の外表面に被装され、前記外殻の頂部に排気口が設けられる。
【０００６】
好ましくは、前記底殻の底部の周りに三つの支持脚が固定接続され、前記支持脚の高さは6mmある。
【０００７】
好ましくは、前記底殻の表面に押ボタンの取付穴が設けられ、前記押ボタンの取付穴の内部にそれと対応する音楽押ボタンユニットが配置される。
【０００８】
好ましくは、前記底殻の表面において且つ押ボタンの取付穴の底部にカラーライトの取付穴が設けられ、前記カラーライトの取付穴の内部にそれと対応するカラーライトユニットが配置される。
【０００９】
好ましくは、前記排気口の内部に散気ユニットが被装され、三つの前記支持脚の高さは25mmであり、前記底殻の底部において且つ三つの支持脚の両側に何れも弾性吸盤ユニットが配置される。
【００１０】
好ましくは、前記散気ユニットは散気パイプを備え、前記散気パイプの表面の底部が前記排気口の内部に配置され、前記散気パイプの頂部にオーバーカバーが固定接続され、前記散気パイプの表面にストッパーが固定接続され、前記散気パイプの表面において且つストッパーとオーバーカバーの間にいくつかの散気口が配置される。
【００１１】
好ましくは、前記弾性吸盤ユニットはスリーブを備え、前記スリーブの底端に弾きレバーが貫通され、前記弾きレバーの底端に吸盤が固定接続され、前記弾きレバーにおいて且つスリーブの内部の一端に押し板が固定接続され、前記押し板の頂部とスリーブの内壁の頂部の間に押しばねが固定接続され、前記弾きレバーの表面において且つ押し板の底部とスリーブの内壁の底部の間に緩衝ばねが固定接続される。
【考案の効果】
【００１２】
既存技術と比べて、本考案の有益な効果は以下の通りである。
本考案は自然睡眠音楽内蔵のアロマ加湿器を提供し、その内部にアロマが配置されており、ベースの内部における超音波加湿器がそれに作用し、アロマから香り付きの水蒸気を拡散させて、その香り付きの水蒸気は人の味覚系に捉えられ、植物のホルモンを皮膚及び呼吸システムから吸収されることで、中枢神経系、血液循環、内分泌、皮膚等八つの器官系を整えて、人間自体の自然治癒力、バランス及び再生機能を呼び起こし、心身のバランスを回復させ、憂鬱、焦慮、鬱憤、怒り等の気持ち及び疲労感を解消し、不眠症を治療すると共に、音楽押ボタンユニットにより、スピーカーを制御して内蔵の自然睡眠音楽を放送し、鳥のさえずり等自然環境音を放送し、聴覚系を通して人に音響療法を行い、人を更にリラックスさせ、ストレスを和らげ、不眠を治療し、睡眠の質を高める。さらに、カラーライトユニットにより七彩の光を散らして、香りと自然音楽を組み合わせることで、ユーザーの視覚、味覚、聴覚を一体にさせ、ユーザーを全面的にリラックスさせて、睡眠の質を高める。
【図面の簡単な説明】
【００１３】
【図１】本考案に係る自然睡眠音楽内蔵のアロマ加湿器の比較的良い実施例の一つの構造の模式図である。
【図２】図1に示す正面図である。
【図３】図1に示す分解立体図である。
【図４】図１に示すベースの模式図である。
【図５】図1に示す中殻の構造の模式図である。
【図６】図1に示す外殻の構造の模式図である。
【図７】図1に示す音楽制御押ボタンユニットの構造の模式図である。
【図８】図1に示すカラーライトユニットの構造の模式図である。
【図９】本考案に係る自然睡眠音楽内蔵のアロマ加湿器の第二実施例の構造の模式図である。
【図１０】図9に示す排気ヘッドの構造の模式図である。
【図１１】図9に示す弾性吸盤ユニットの構造の模式図である。
【考案を実施するための形態】
【００１４】
以下、本考案の実施例における図面と合わせて、本考案の実施例における技術手段について具体的に説明する。
【第一実施例】
【００１５】
図１〜８をご参照ください。その中で、図1は本考案に係る自然睡眠音楽内蔵のアロマ加湿器の比較的良い実施例の一つの構造の模式図である。図2は図1に示す正面図である。図3は図1に示す分解立体図である。図4は図１に示すベースの模式図である。図5は図1に示す中殻の構造の模式図である。図6は図1に示す外殻の構造の模式図である。図7は図1に示す音楽制御押ボタンユニットの構造の模式図である。図8は図1に示すカラーライトユニットの構造の模式図である。自然睡眠音楽内蔵のアロマ加湿器であって、それはベース1、中殻2、外殻3を備え、前記ベース1は底殻11、超音波加湿器12、スピーカー13と放熱口14を備え、前記超音波加湿器12、スピーカー13と放熱口14は何れも底殻11の底部に配置される。
【００１６】
前記中殻2の底部が固定ボルトを介して前記底殻11の頂部に固定配置される。
【００１７】
前記外殻3の内表面が前記中殻2の外表面に被装され、前記外殻3の頂部に排気口31が設けられる。
【００１８】
前記底殻11の底部の周りに三つの支持脚4が固定接続され、前記支持脚4の高さは6mmである。
【００１９】
前記底殻11の表面に押ボタン15の取付穴が設けられ、前記押ボタンの取付穴15の内部にそれと対応する音楽押ボタンユニット5が配置され、音楽押ボタンユニット5によりスピーカー13を制御して音楽を放送し、ユーザーが好きな音楽に自由に切り替えることができるため、操作が非常に便利である。
【００２０】
前記底殻11の表面において且つ押ボタンの取付穴15の底部にカラーライトの取付穴16が設けられ、前記カラーライトの取付穴16の内部にそれと対応するカラーライトユニット6が配置され、カラーライトユニット6が音楽につれて七彩の光を散らして、ユーザーに視覚治療を行い、睡眠に役に立つ。
【００２１】
本考案に係る自然睡眠音楽内蔵のアロマ加湿器の作動原理は以下の通りである。
内部にアロマが配置されており、ベース1の内部における超音波加湿器を通してそれに作用し、アロマから香り付きの水蒸気を拡散させて、その香り付きの水蒸気は人の味覚系に捉えられ、植物のホルモンを皮膚及び呼吸システムから吸収されることで、中枢神経系、血液循環、内分泌、皮膚等八つの器官系を整えて、人間自体の自然治癒力、バランス及び再生機能を呼び起こし、心身のバランスを回復させ、憂鬱、焦慮、鬱憤、怒り等の気持ち及び疲労感を解消し、不眠症を治療すると共に、音楽押ボタンユニット5により、スピーカー13を制御して内蔵の自然睡眠音楽を放送し、鳥のさえずり等自然環境音を放送し、聴覚系を通して人に音響療法を行い、人を更にリラックスさせ、ストレスを和らげ、不眠を治療し、睡眠の質を高める。さらに、カラーライトユニット6により七彩の光を散らせて、香りと自然音楽を組み合わせて、ユーザーの視覚、味覚、聴覚を一体にさせ、機能が全面的であり、ユーザーを更にリラックスさせ、睡眠の質を高める。
【００２２】
既存技術と比べて、本考案に係る自然睡眠音楽内蔵のアロマ加湿器の有益な効果は以下の通りである。
内部にアロマが配置されており、ベース1の内部における超音波加湿器を通してそれに作用し、アロマから香り付きの水蒸気を拡散させて、その香り付きの水蒸気は人の味覚系に捉えられ、植物のホルモンを皮膚及び呼吸システムから吸収されることで、中枢神経系、血液循環、内分泌、皮膚等八つの器官系を整えて、人間自体の自然治癒力、バランス及び再生機能を呼び起こし、心身のバランスを回復させ、憂鬱、焦慮、鬱憤、怒り等の気持ち及び疲労感を解消し、不眠症を治療すると共に、音楽押ボタンユニット5により、スピーカー13を制御して内蔵の自然睡眠音楽を放送し、鳥のさえずり等自然環境音を放送し、聴覚系を通して人に音響療法を行い、人を更にリラックスさせ、ストレスを和らげ、不眠を治療し、睡眠の質を高める。さらに、カラーライトユニット6により七彩の光を散らせて、香りと自然音楽を組み合わせて、ユーザーの視覚、味覚、聴覚を一体にさせ、機能が全面的であり、ユーザーを更にリラックスさせ、睡眠の質を高める。
【第二実施例】
【００２３】
図９−１１をご参照ください。その中で、図9は本考案に係る自然睡眠音楽内蔵のアロマ加湿器の第二実施例の構造の模式図である。図10は図9に示す排気ヘッドの構造の模式図である。図11は図9に示す弾性吸盤ユニットの構造の模式図である。本考案に係る第一実施例の自然睡眠音楽内蔵のアロマ加湿器に基づき、本考案の第二実施例でもう一つの自然睡眠音楽内蔵のアロマ加湿器を提供する。第二実施例はただ第一実施例の好ましい実施形態だけであり、第二実施例の実施により第一実施例の単独実施にいずれの影響を与えないことである。
【００２４】
具体的は、本考案の第二実施例で提供する自然睡眠音楽内蔵のアロマ加湿器の違うところは、前記排気口31の内部に散気ユニット7が被装され、三つの前記支持脚4の高さは25mmであり、前記底殻11の底部において且つ三つの支持脚4の両側に何れも弾性吸盤ユニット8が配置される。
【００２５】
支持脚4の高さが大きくなり、スピーカー13の効果音を増加し、テーブルの表面との距離が近すぎることにより効果音を弱めることを防止する。
【００２６】
前記散気ユニット7は散気パイプ71を備え、前記散気パイプ71の表面の底部が前記排気口31の内部に配置され、前記散気パイプ71の頂部にオーバーカバー72が固定接続され、前記散気パイプ71の表面にストッパー73が固定接続され、前記散気パイプ71の表面において且つストッパー73とオーバーカバー72の間にいくつかの散気口74が配置される。
【００２７】
香り付きの水蒸気は排気口31から出て、散気パイプ71の内部に入って、その表面のいくつかの散気口74を経由して均一に分散するため、水蒸気が団塊になってマロア効果に影響することを防止し、使用効果を更に上げる。ストッパー73により散気パイプ71が完全に排気口31の内部に落ちることを防止する。
【００２８】
前記弾性吸盤ユニット8はスリーブ81を備え、前記スリーブの底端に弾きレバー82が貫通され、前記弾きレバー82の底端に吸盤83が固定接続され、前記弾きレバー82において且つスリーブ81の内部の一端に押し板84が固定接続され、前記押し板84の頂部とスリーブ81の内壁の頂部の間に押しばね85が固定接続され、前記弾きレバー82の表面において且つ押し板84の底部とスリーブ81の内壁の底部の間に緩衝ばね86が固定接続される。
【００２９】
加湿器本体の重力作用の下で、押しばね85により支持力が効いて、力は互いに働きかけるため、また下向きの弾力が生じて、押し板84を下へ押して移動させ、吸盤83に下向きの押す力を加え、吸盤83をテーブルの表面に吸着させ、更に安定になり、衝突により加湿器が転倒して壊れることを防止する。
【００３０】
本明細書に具体的な個別事例を応用して本実用新案の原理及び実施方式を説明したが、本技術分野の当業者にとって、本発明の原理及び精神から逸脱しない前提において、さらにいくつかの改善、修正または変化を実施できる。本実用新案の保護範囲は添付の実用新案の請求範囲及びそれと同じものによって限定される。
【符号の説明】
【００３１】
1  ベース
11  外殻
12  超音波加湿器
13  スピーカー
14  放熱口
15  押ボタンの取付穴
16  カラーライトの取付穴
2  中殻
3  外殻
31  排気口
4  支持脚
5  音楽押ボタンユニット
6  カラーライトユニット
7  散気ユニット
71  散気パイプ
72  オーバーカバー
73  ストッパー
74  散気口
8  弾性吸盤ユニット
81  スリーブ
82  弾きレバー
83  吸盤
84  押し板
85  押しばね
86  緩衝ばね
【図１】
0003223427.tif 000003
【図２】
0003223427.tif 000004
【図３】
0003223427.tif 000005
【図４】
0003223427.tif 000006
【図５】
0003223427.tif 000007
【図６】
0003223427.tif 000008
【図７】
0003223427.tif 000009
【図８】
0003223427.tif 000010
【図９】
0003223427.tif 000011
【図１０】
0003223427.tif 000012
【図１１】
0003223427.tif 000013